(57)【要約】【課題】実際の介助磨きの環境を模擬し、介助磨きの熟達度を客観的かつ即座に評価するための評価キット及び評価方法を提供する。また、歯ブラシの歯垢除去性能を客観的に評価するための評価キット及び評価方法を提供する。【解決手段】本発明の介助磨き評価方法では、顎模型１に配置された複数の歯２のうち少なくとも１つの歯２の表面に、歯２の色とは異なる色からなるマスキング材料５を付着させる。次に、マスキング材料５の色（例えば、赤色）と同一又は類似の色を有した透明材料４を有した眼鏡３を通して、歯ブラシ６で歯を磨く。さらに、眼鏡３を外して、マスキング材料５が歯２の表面に残った箇所又は量を確認する。【選択図】図２
2014136052.tif 000002
【特許請求の範囲】
【請求項１】
複数の歯を有した顎模型と、
透明材料を有した眼鏡と、
を備え、かつ、
前記歯の少なくとも１つの歯の表面には、前記歯の色とは異なる色からなるマスキング材料が付着されており、
前記眼鏡の前記透明材料の少なくとも一部の色が、前記マスキング材料の色と同一又は類似の色であることを特徴とする介助磨きの熟達度を評価するための評価キット。
【請求項２】
複数の歯を有した顎模型と、
透明材料を有した眼鏡と、
を備え、かつ、
前記歯の少なくとも１つの歯の表面には、前記歯の色とは異なる色からなるマスキング材料が付着されており、
前記眼鏡の前記透明材料の少なくとも一部の色が、前記マスキング材料の色と同一又は類似の色であることを特徴とする歯ブラシの歯垢除去性能を評価するための評価キット。
【請求項３】
顎模型に配置された複数の歯のうち少なくとも１つの歯の表面に、前記歯の色とは異なる色からなるマスキング材料を付着させるステップと、
前記マスキング材料の色と同一又は類似の色を有した透明材料を有した眼鏡を通して、歯ブラシで前記歯を磨くステップと、
前記眼鏡を外して、前記マスキング材料が前記歯の表面に残った箇所又は量を確認するステップと、
を含むことを特徴とする介助磨きの熟達度を評価するための評価方法。
【請求項４】
前記確認ステップにて、前記歯の表面の状態を撮影し、撮影画像を基に、前記マスキング材料が残った箇所又は量を定量化することを含むことを特徴とする請求項３に記載の評価方法。
【請求項５】
顎模型に配置された複数の歯のうち少なくとも１つの歯の表面に、前記歯の色とは異なる色からなるマスキング材料を付着させるステップと、
前記マスキング材料の色と同一又は類似の色を有した透明材料を有した眼鏡を通して、歯ブラシで前記歯を磨くステップと、
前記眼鏡を外して、前記マスキング材料が前記歯の表面に残った箇所又は量を確認するステップと、
を含むことを特徴とする歯ブラシの歯垢除去性能を評価するための評価方法。
【請求項６】
前記確認ステップにて、前記歯の表面の状態を撮影し、撮影画像を基に、前記マスキング材料が残った箇所又は量を定量化することを含むことを特徴とする請求項５に記載の評価方法。
【請求項７】
複数の歯を有した顎模型と、
紫外線、可視光線、又はエックス線を前記歯に照射可能な照射装置と、
を備え、かつ、
前記歯の少なくとも１つの歯の表面には、透明色又は半透明色からなる蛍光塗料又は燐光塗料が付着されていることを特徴とする介助磨きの熟達度を評価するための評価キット。
【請求項８】
複数の歯を有した顎模型と、
紫外線、可視光線、又はエックス線を前記歯に照射可能な照射装置と、
を備え、かつ、
前記歯の少なくとも１つの歯の表面には、透明色又は半透明色からなる蛍光塗料又は燐光塗料が付着されていることを特徴とする歯ブラシの歯垢除去性能を評価するための評価キット。
【請求項９】
顎模型に配置された複数の歯のうち少なくとも１つの歯の表面に、透明色又は半透明色からなる蛍光塗料又は燐光塗料を付着させるステップと、
歯ブラシで前記歯を磨くステップと、
前記歯に紫外線、可視光線、又はエックス線を照射し、前記蛍光塗料又は前記燐光塗料を発光させるステップと、
前記蛍光塗料又は前記燐光塗料が前記歯の表面に残った箇所又は量を確認するステップと、
を含むことを特徴とする介助磨きの熟達度を評価するための評価方法。
【請求項１０】
顎模型に配置された複数の歯のうち少なくとも１つの歯の表面に、透明色又は半透明色からなる蛍光塗料又は燐光塗料を付着させるステップと、
歯ブラシで前記歯を磨くステップと、
前記歯に紫外線、可視光線、又はエックス線を照射し、前記蛍光塗料又は前記燐光塗料を発光させるステップと、
前記蛍光塗料又は前記燐光塗料が前記歯の表面に残った箇所又は量を確認するステップと、
を含むことを特徴とする歯ブラシの歯垢除去性能を評価するための評価方法。
【請求項１１】
複数の歯を有した顎模型と、
前記歯を浸漬させるためのヨウ素溶液と、
を備え、かつ、
前記歯の少なくとも１つの歯の表面には、澱粉が付着されていることを特徴とする介助磨きの熟達度を評価するための評価キット。
【請求項１２】
複数の歯を有した顎模型と、
前記歯を浸漬させるためのヨウ素溶液と、
を備え、かつ、
前記歯の少なくとも１つの歯の表面には、澱粉が付着されていることを特徴とする歯ブラシの歯垢除去性能を評価するための評価キット。
【請求項１３】
顎模型に配置された複数の歯のうち少なくとも１つの歯の表面に、澱粉を付着させるステップと、
歯ブラシで前記歯を磨くステップと、
前記歯をヨウ素溶液に浸漬させて、前記澱粉と該ヨウ素溶液とを反応させるステップと、
前記澱粉が前記歯の表面に残った箇所又は量を確認するステップと、
を含むことを特徴とする介助磨きの熟達度を評価するための評価方法。
【請求項１４】
顎模型に配置された複数の歯のうち少なくとも１つの歯の表面に、澱粉を付着させるステップと、
歯ブラシで前記歯を磨くステップと、
前記歯をヨウ素溶液に浸漬させて、前記澱粉と該ヨウ素溶液とを反応させるステップと、
前記澱粉が前記歯の表面に残った箇所又は量を確認するステップと、
を含むことを特徴とする歯ブラシの歯垢除去性能を評価するための評価方法。
【発明の詳細な説明】
【技術分野】
【０００１】
本発明は、介助磨きの熟達度を客観的に評価するための評価キット及び評価方法に関する。また、歯ブラシの歯垢除去性能を客観的に評価するための評価キット及び評価方法に関する。
【背景技術】
【０００２】
歯磨きは、国民が、自らの健康を維持・増進するために毎日欠かさず行う行為のうち、最も普及・定着した習慣である。
【０００３】
有る程度の年齢に到達した小児及び障害者はこの歯磨きの手技を習得するようになるが、低年齢の小児や重度の障害児や障害者ではその習得が困難あるいは不可能であることが多く、保護者、養育者、歯科医師、歯科衛生士、介護士等の他者によって歯磨き（「他者磨き」、「介助磨き」とも呼ばれる。）を代行する必要がある。
【０００４】
しかしながら、介助磨きの際に、歯垢をどの箇所でどれだけ除去できたか等を客観的かつ簡便に評価する器具あるいはシステムは今までに市販されていない。
【０００５】
従って、小児や障害者に対してどのような介助磨きが保護者や養育者等によって日常行われているかについて歯科医師等が客観的に把握する術は無かった。また、歯科医師や歯科衛生士による保護者等への口腔衛生指導も客観的根拠に立脚しているとは言い難かった。また、歯科医療従事者を育成する教育機関においても客観的根拠に基づいて介助磨きの練習や指導を行うことは困難であった。
【０００６】
次に、歯に付着した歯垢の存在を確認するための先行技術として、例えば、赤色色素を含有した歯垢染め出し液（歯垢染色剤）が開示されている（特許文献１）。しかしながら、この染色剤は、実際の患者の歯肉に適用して歯垢の除去具合又は残存度を確認するものであり、生身の人間に適用するものである。従って、歯科診療所や教育機関において、保護者や歯科医療従事者が介助磨きを繰り返し練習する目的には不向きであった。また、この種の染色剤は、歯垢だけでなく、歯肉、口腔粘膜、唇等も無差別に赤く染色してしまうことや、その赤色が、一旦、被服等に飛び散ると容易に除去することが困難であるといった問題も指摘されていた。
【０００７】
また、特許文献２には、マイクロカプセル（特許文献３を参照）を利用した感圧材料からなる模擬歯垢を付着させた歯部の表面に付着させた歯磨き練習用模型が開示されている。この特許文献２の模型によれば、歯ブラシで模型の歯を磨くと、カプセルが破壊されて変色するため、歯が磨けたかどうかを知ることができる。
【０００８】
しかしながら、特許文献２の模型では、歯ブラシを歯部表面上で反復刷掃し、カプセルが徐々に破壊されていくことで、この模型を用いて練習する者は、歯を磨いている最中にカプセル破壊領域（模擬歯垢が落ちた領域）が明確に分かってしまい、当然、破壊領域以外の場所を探して磨いていくことになる。つまり、特許文献２の模型では、練習者の刷掃中に模擬歯垢が徐々に可視化された状態になり、歯部表面上が恣意的に刷掃される可能性は否めない。
【０００９】
一方、実際の介助磨きでは、歯の色と歯垢の色とは同種の色であるため、歯垢が除去された箇所と歯垢が残っている箇所とを、通常、明確に認識できない。つまり、特許文献２の模型は、実際の介助磨きを正しく模擬する環境を作り出しているとはいえない。
【００１０】
また、特許文献２に開示されたような感圧材料を歯部の全ての表面に整然と付着させることは容易ではない。従って、エンドユーザーである歯科医師等が、一般に流通する歯部模型を利用することができず、この感圧材料を付着させる技術を有した特定の製造者から購入する必要があることが懸念される。また、一度使用した上記模型を再利用する場合も、このような専門的な製造業者に新品の感圧材料の再付着を依頼する必要があり、面倒であると同時に相当の費用が発生することが懸念される。
【００１１】
加えて、感圧材料中のバインダー層の存在により歯ブラシが感圧材料に接触しても、模擬歯垢が実際に歯部表面から磨き落とされるわけではなく、感圧材料中のカプセルが破壊されるのみである。従って、カプセルが破壊される圧力で歯ブラシを感圧材料に接触させなければならないため、歯垢が落ちる圧力とかけ離れた圧力で歯磨きの練習を行ってしまう恐れもある。
【先行技術文献】
【特許文献】
【００１２】
【特許文献１】特許第２５７９７７７号公報
【特許文献２】特開２００１−２０２００６号公報
【特許文献３】特許第２８５１３０２号公報
【発明の概要】
【発明が解決しようとする課題】
【００１３】
本発明はこのような事情を考慮してなされたもので、実際の介助磨きの環境を模擬し、介助磨きの熟達度を客観的かつ即座に評価するための評価キット及び評価方法を提供することを目的とする。
【００１４】
また、本発明の別の目的は、歯ブラシの歯垢除去性能を客観的に評価するための評価キット及び評価方法を提供することである。
【課題を解決するための手段】
【００１５】
本発明者は、鋭意検討の末、市販模型を使用すること、市販模型に付着させる模擬歯垢としてマスキング材料を使用すること、及び、このマスキング材料と同種の色からなる眼鏡を装着して歯磨きを実践することに想到し、これらを組み合わせれば上記課題が解決されることを見出し、本発明を完成するに至った。
【００１６】
また、本発明者は、上述の眼鏡以外の手段や方法でも、上記課題が解決されることを見出し、本発明を完成するに至った。
【００１７】
すなわち、本発明は、少なくとも次の特徴を備えたものである。
（態様１）
複数の歯を有した顎模型と、
透明材料を有した眼鏡と、
を備え、かつ、
前記歯の少なくとも１つの歯の表面には、前記歯の色とは異なる色からなるマスキング材料が付着されており、
前記眼鏡の前記透明材料の少なくとも一部の色が、前記マスキング材料の色と同一又は類似の色であることを特徴とする介助磨きの熟達度を評価するための評価キット。
（態様２）
複数の歯を有した顎模型と、
透明材料を有した眼鏡と、
を備え、かつ、
前記歯の少なくとも１つの歯の表面には、前記歯の色とは異なる色からなるマスキング材料が付着されており、
前記眼鏡の前記透明材料の少なくとも一部の色が、前記マスキング材料の色と同一又は類似の色であることを特徴とする歯ブラシの歯垢除去性能を評価するための評価キット。
（態様３）
顎模型に配置された複数の歯のうち少なくとも１つの歯の表面に、前記歯の色とは異なる色からなるマスキング材料を付着させるステップと、
前記マスキング材料の色と同一又は類似の色を有した透明材料を有した眼鏡を通して、歯ブラシで前記歯を磨くステップと、
前記眼鏡を外して、前記マスキング材料が前記歯の表面に残った箇所又は量を確認するステップと、
を含むことを特徴とする介助磨きの熟達度を評価するための評価方法。
（態様４）
前記確認ステップにて、前記歯の表面の状態を撮影し、撮影画像を基に、前記マスキング材料が残った箇所又は量を定量化することを含むことを特徴とする態様３に記載の評価方法。
（態様５）
顎模型に配置された複数の歯のうち少なくとも１つの歯の表面に、前記歯の色とは異なる色からなるマスキング材料を付着させるステップと、
前記マスキング材料の色と同一又は類似の色を有した透明材料を有した眼鏡を通して、歯ブラシで前記歯を磨くステップと、
前記眼鏡を外して、前記マスキング材料が前記歯の表面に残った箇所又は量を確認するステップと、
を含むことを特徴とする歯ブラシの歯垢除去性能を評価するための評価方法。
（態様６）
前記確認ステップにて、前記歯の表面の状態を撮影し、撮影画像を基に、前記マスキング材料が残った箇所又は量を定量化することを含むことを特徴とする態様５に記載の評価方法。
（態様７）
複数の歯を有した顎模型と、
紫外線、可視光線、又はエックス線を前記歯に照射可能な照射装置と、
を備え、かつ、
前記歯の少なくとも１つの歯の表面には、透明色又は半透明色からなる蛍光塗料又は燐光塗料が付着されていることを特徴とする介助磨きの熟達度を評価するための評価キット。
（態様８）
複数の歯を有した顎模型と、
紫外線、可視光線、又はエックス線を前記歯に照射可能な照射装置と、
を備え、かつ、
前記歯の少なくとも１つの歯の表面には、透明色又は半透明色からなる蛍光塗料又は燐光塗料が付着されていることを特徴とする歯ブラシの歯垢除去性能を評価するための評価キット。
（態様９）
顎模型に配置された複数の歯のうち少なくとも１つの歯の表面に、透明色又は半透明色からなる蛍光塗料又は燐光塗料を付着させるステップと、
歯ブラシで前記歯を磨くステップと、
前記歯に紫外線、可視光線、又はエックス線を照射し、前記蛍光塗料又は前記燐光塗料を発光させるステップと、
前記蛍光塗料又は前記燐光塗料が前記歯の表面に残った箇所又は量を確認するステップと、
を含むことを特徴とする介助磨きの熟達度を評価するための評価方法。
（態様１０）
顎模型に配置された複数の歯のうち少なくとも１つの歯の表面に、透明色又は半透明色からなる蛍光塗料又は燐光塗料を付着させるステップと、
歯ブラシで前記歯を磨くステップと、
前記歯に紫外線、可視光線、又はエックス線を照射し、前記蛍光塗料又は前記燐光塗料を発光させるステップと、
前記蛍光塗料又は前記燐光塗料が前記歯の表面に残った箇所又は量を確認するステップと、
を含むことを特徴とする歯ブラシの歯垢除去性能を評価するための評価方法。
（態様１１）
複数の歯を有した顎模型と、
前記歯を浸漬させるためのヨウ素溶液と、
を備え、かつ、
前記歯の少なくとも１つの歯の表面には、澱粉が付着されていることを特徴とする介助磨きの熟達度を評価するための評価キット。
（態様１２）
複数の歯を有した顎模型と、
前記歯を浸漬させるためのヨウ素溶液と、
を備え、かつ、
前記歯の少なくとも１つの歯の表面には、澱粉が付着されていることを特徴とする歯ブラシの歯垢除去性能を評価するための評価キット。
（態様１３）
顎模型に配置された複数の歯のうち少なくとも１つの歯の表面に、澱粉を付着させるステップと、
歯ブラシで前記歯を磨くステップと、
前記歯をヨウ素溶液に浸漬させて、前記澱粉と該ヨウ素溶液とを反応させるステップと、
前記澱粉が前記歯の表面に残った箇所又は量を確認するステップと、
を含むことを特徴とする介助磨きの熟達度を評価するための評価方法。
（態様１４）
顎模型に配置された複数の歯のうち少なくとも１つの歯の表面に、澱粉を付着させるステップと、
歯ブラシで前記歯を磨くステップと、
前記歯をヨウ素溶液に浸漬させて、前記澱粉と該ヨウ素溶液とを反応させるステップと、
前記澱粉が前記歯の表面に残った箇所又は量を確認するステップと、
を含むことを特徴とする歯ブラシの歯垢除去性能を評価するための評価方法。
【発明の効果】
【００１８】
本発明の一態様によれば、模擬歯垢にマスキング材料を使用するとともに、この塗料と同種の色を有した眼鏡を使用するために、実際の介助磨きの環境を模擬し、使用者（眼鏡装着者）の普段の歯磨きや歯垢除去の方法を再現できる。また、本発明の介助磨き評価キットを用いて本発明の介助磨き評価方法を繰り返し実践すれば、介助磨きの熟達度を客観的に評価することができる。また、歯垢を模擬する本発明のマスキング材料は、実際の歯垢と同様、歯磨きによって歯から磨き落とされる。
【００１９】
また、本発明の一態様によれば、本発明の眼鏡を装着しながら歯ブラシで歯を反復刷掃する間は、どの箇所のマスキング材料（模擬歯垢）が落ちているか判然としない環境が得られる。つまり、一時的に歯の輪郭のみを可視化させつつ模擬歯垢のみを可視化不能とし、そして、反復刷掃（歯磨き）を終えた後、本発明の眼鏡を外すことで、模擬歯垢をどの程度落とすことができたか、即座に観察することができる。特別な可視化装置を必要とせず、歯科医院や介護施設等で介助磨きの指導や評価を容易に実施できるようになる。
【００２０】
また、本発明の一態様では、模擬歯垢は前記歯と異なる色調であることから画像化することにより定量化することもできる。これにより、例えば、歯科臨床の場では残存模擬歯垢の場所と量（面積）で刷掃指導することも可能になる。
【００２１】
また、本発明の歯ブラシ評価キット及び歯ブラシ評価方法を用いれば、歯ブラシの歯垢除去性能をより客観的に評価できる。従って、歯ブラシメーカー等における歯ブラシの研究開発に、本発明を利用することができる。
【００２２】
また、本発明によれば、上記態様以外にも、模型上の歯の表面に蛍光塗料又は燐光塗料を付着させ、歯ブラシで刷掃した後、紫外線、可視光線、又はエックス線を前記歯に照射することで、上記態様とほぼ同様の効果を達成可能である。
【００２３】
また、本発明によれば、上記態様以外にも、模型上の歯の表面に澱粉を付着させ、歯ブラシで刷掃した後、ヨウ素溶液中に前記歯を浸漬させることで、上記態様とほぼ同様の効果を達成可能である。
【図面の簡単な説明】
【００２４】
【図１】実施例１のマスキング材料を顎模型上の歯表面に付着させる方法を示した図である。
【図２】実施例１の眼鏡と、この眼鏡を装着せずに観察された顎模型の外観と、この眼鏡を装着して観察された顎模型の外観と、を示した図である。
【図３】実施例１の顎模型への刷掃（歯磨き）風景を示した図である。
【図４】実施例２に使用した歯ブラシを示した図である。
【図５】実施例３に使用した歯ブラシを示した図である。
【発明を実施するための形態】
【００２５】
以下、本発明を図面に示す実施の形態に基づき説明するが、本発明は、下記の具体的な実施態様に何等限定されるものではない。
【００２６】
（本発明の評価キット）
本発明の介助磨き評価キット又は歯ブラシ評価キットは、例えば、
複数の歯を有した顎模型と、
透明材料を有した眼鏡と、
を備え、かつ、
前記歯の少なくとも１つの歯の表面には、前記歯の色とは異なる色からなるマスキング材料が付着されており、
前記眼鏡の前記透明材料の少なくとも一部の色が、前記マスキング材料の色と同一又は類似の色であることを特徴とするものである。
【００２７】
（本発明の顎模型）
本発明には、複数の歯を有した顎模型が必要である。この顎模型として、通常、歯科医師等に向けて市販される顎模型を使用することが可能である。
【００２８】
（本発明のマスキング材料）
そして、上記顎模型の歯の表面には、着色（例えば、赤色に着色）されたマスキング材料が付着されていることが重要である。ここで、マスキング材料は、歯の表面に付着するとともに、歯ブラシで刷掃すると歯の表面から落下又は剥離する物質のことを指し、この機能を発揮出来れば、粉状、液状、テープ状またはシート状のものであっても良い。
【００２９】
このマスキング材料の好適な例として、油性顔料系のインク等の油性塗料が挙げられる。油性塗料は、模型上の歯の表面に誰でも簡単に着色することができ、歯の表面に着色された際に色斑が表れにくいからである。例えば、市販の油性顔料系インクをマスキング材料として歯の表面に付着させ、歯ブラシで刷掃した場合、簡単に落下・除去される。従って、刷掃時に歯ブラシの毛先が歯の表面に届いていたか否かの判定には、極めて有用である。
【００３０】
また、マスキング材料が所定の付着力（所定の刷掃力で歯ブラシを刷掃したときにはじめて、歯の表面から落下・除去される程度の付着力・粘度）を有するものも好ましい。刷掃力は、特に、５０ｇｆ〜３００ｇｆ（約０．４９Ｎ〜約２．９４Ｎ）の力であることが好ましい。このような材料を付着させれば、本物の歯に実際に付着する歯垢と同様の付着力を模擬することができ、実際の歯磨きの状況により近い状況を模擬することが可能になるからである。
【００３１】
（本発明の眼鏡）
本発明の眼鏡のフレームや透明材料として、通常の眼鏡の構成部材を使用してもよい。透明材料（レンズ）は、透明体であれば材料を問わず、また、視力調節の為の度合いが調節されていなくてもよい。なお、本発明の眼鏡の形状は、通常の眼鏡の形状（２つの透明材料を収容するフレーム形状）にとらわれる必要は無く、装着者の眼と顎模型との間に配置・保持されるものであれば良い。例えば、本発明の眼鏡は、装着者又は所定の場所に取り付けられる取付け部を有した一枚の透明なシート状を成してもよい。
【００３２】
（眼鏡の透明材料への着色）
但し、透明材料の少なくとも一部の色が、マスキング材料の色と同一又は類似の色であることは極めて重要である。ここで、マスキング材料の色と類似の色とは、例えば、マスキング材料の色と同系色の色が挙げられる。透明材料全体を着色する必要は無く、例えば、着色部分は表面部分に設けられていてもよい。例えば、通常の無色透明レンズの表面に、別途、着色されたフィルムを別途、貼付してもよい。
【００３３】
この着色部分の存在により、本発明の眼鏡を装着しながら歯ブラシで模型内の歯を反復刷掃する間は、どの箇所のマスキング材料（模擬歯垢）が落ちているか判然としない環境を作り出すことができるようになる。つまり、一時的に歯の輪郭のみを可視化させつつ模擬歯垢のみを可視化不能とする。そして、反復掃引（歯磨き）を終えた後、本発明の眼鏡を外すことで、模擬歯垢をどの程度落とすことができたかを即座に観察することができる。
【００３４】
上述の評価キットを用いて、以下の評価方法を実現することが可能になる。
【００３５】
（本発明の評価方法）
すなわち、本発明の介助磨き評価方法又は歯ブラシ評価方法は、例えば、
複数の歯を有した顎模型の前記歯の表面にマスキング材料を付着させるステップと、
前記マスキング材料の色と同一又は類似の色からなる透明材料を有した眼鏡を装着しながら、歯ブラシを用いて前記歯を磨くステップと、
前記眼鏡を外して、前記マスキング材料が前記歯の表面に残った箇所又は量を確認するステップと、
を含むことを特徴とするものである。
【００３６】
前記確認ステップには、各歯に残ったマスキング材料の箇所と面積と計測することを含むことが好ましい。これにより、より定量的な介助磨きの評価やその熟達度の評価を行うことが可能になる。
【００３７】
また、ブラシ形状の異なる歯ブラシを複数用意し、これらの歯ブラシを用いて上述の評価方法を実践すれば、例えば、歯ブラシの製造会社等において歯垢除去性能に優れた歯ブラシを特定したり、介助施設や歯科医院等にて介助磨きを行う者に適した歯ブラシを選択したりすることもできるようになる。
【実施例１】
【００３８】
（歯の表面へのマスキング材料の付着）
実施例１のマスキング材料５には、油性塗料（ホワイトボード用マーカー補充液（赤色）、株式会社パイロットコーポレーション製）を使用した。実施例１では、顎模型１に配置された複数の歯２の表面に、この油性塗料５を筆で塗った後（図１（ａ）を参照）、乾燥させた（１５分程度の放置・乾燥）。油性塗料５が付着した歯２を顎模型１の所定のスロットに配置した（図１（ｂ）を参照）。この作業により、赤色に着色された油性塗料（つまり模擬歯垢）５を歯２表面に付着させた顎模型１を用意することができた（図２（ａ）を参照）。
【００３９】
（眼鏡の装着）
次に、上述の油性塗料５とほぼ同じ色（赤色）のフィルムを市販眼鏡のレンズ表面上に貼付することで、実施例１の眼鏡３と透明材料４を作製した（図２（ｂ）を参照）。図２（ｃ）は、上記フィルム越しに撮影した顎模型１の写真である。従って、この眼鏡３を装着した装着者は、この透明材料４を通して顎模型を観察できるようになるのである。これにより、本発明の眼鏡３を装着している間は、油性塗料５が着色された複数の歯２（図２（ａ）では４つの歯）と、着色されていない歯２と、の見分けがつかない状態（つまり、着色された歯２が可視化された状態）を一時的に作りだすことができるようになる（図２（ｃ）参照）。
【００４０】
（顎模型での歯磨き）
そして、油性塗料５が付着した顎模型１を、図３に示すような顔模型７の口腔部内に載置し、上述の眼鏡３を装着しながら、顎模型１上の各歯２を市販の歯ブラシ６で刷掃することで歯磨きを行った。
【実施例２】
【００４１】
（介助磨きの定量的な評価の実施）
実施例２の介助磨きを行い、その磨き方が評価される被験者として、歯科医師１０名を選定した。顎模型１に載置された下顎左側臼歯（４本、図２（ａ）を参照）を被験歯２に設定した。なお、各被験歯２は、ＦＤＩ方式（ｔｗｏ−ｄｉｇｉｔ  ｓｙｓｔｅｍ）に従って、符号４４〜４７と表記した。刷掃法はブロック全体を刷掃できれば良いとし、刷掃方法は各被験者の自由とした。刷掃時間として、１０秒間と１５秒間との２つの条件で評価した。実施例２の歯ブラシ６として、図４に示すように、ブラシ先端面がフラット（平坦）なもの（歯ブラシＡと呼ぶ。図４（ａ）参照）と、先端面全体が波形状となるもの（歯ブラシＢと呼ぶ。図４（ｂ）参照）との２種類を用意した。
【００４２】
上述の実施例２の条件で、被験者は、実施例１に説明した眼鏡３を装着しながら、被験歯２を含む歯２に対して刷掃を行った。刷掃後は目視確認だけでなく、以下に示すように被験歯２に残った油性塗料５の残余量の定量評価を行った。
【００４３】
（被験歯の隣接面）
被験歯２は１本に対し、中切歯の接触点に近づく方向（近心）とこの接触点から遠ざかる方向（遠心）とにそれぞれ隣接面を有する。従って、実施例２の顎模型１は、４本の被験歯２を有するため、８つの隣接面を有することになる（後述の表１〜表３を参照）。
【００４４】
（隣接面での磨き残し面積の計測）
そして、各被験者の刷掃後に、（１）被験歯２の全ての隣接面の写真を撮影し、（２）その撮影した画像から油性塗料５が残った部分（つまり磨き残し部分）を抽出し、（３）この磨き残し部分の面積（ｍｍ２）を計測した。この計測結果を表１に示す。表１の各隣接面での各数値は全被験者から得られた磨き残し面積の平均値（Ｍｅａｎ）を示し、右横のカッコ内の数値はその平均値の標準偏差（ＳＤ、Ｓｔａｎｄａｒｄ  Ｄｅｖｉａｔｉｏｎ  ｏｆ  ｔｈｅ  Ｍｅａｎ）を示す。
【００４５】
【表１】
2014136052.tif 000003
【００４６】
また、表１の各隣接面における歯ブラシＢ使用時の面積を歯ブラシＡ使用時の面積で除した結果を表２に示す。
【００４７】
【表２】
2014136052.tif 000004
【００４８】
また、表１及び表２の結果から、刷掃時間が１５秒間の場合の隣接面４４近心の計測データ以外は、全て歯ブラシＢを用いた方が磨き残しの油性塗料５の面積が少ない事が分かった。従って、歯ブラシＢを使用した方が、歯ブラシＡと比較して、隣接面に届く能力が高い事が分かった。
【実施例３】
【００４９】
（介助磨きの繰り返し評価の実施）
歯科医師１名のみを実施例３の被験者に選定した。実施例３の被験歯、刷掃法、及び刷掃時間は、実施例２と同じであるため、ここでは説明を省略する。実施例３の歯ブラシ６として、実施例２の歯ブラシＢと同様にブラシ先端面が波形状となるもの（歯ブラシＣ、図５（ａ）参照）と、この歯ブラシＣ先端面の中央突出部分を切除したもの（歯ブラシＤ、図５（ｂ）参照）と、この中央突出部分はそのまま残し、その外周部分の波形状を切除して平坦にしたもの（歯ブラシＥ、図５（ｃ）参照）と、その他、特殊な凹凸形状を成すブラシ先端を有したもの（歯ブラシＦ及び歯ブラシＧ、図５（ｄ）及び図５（ｅ）参照）の５種類を用意した。実施例３では、同一の被験者により、介助磨きとその評価を５回繰り返し行った。実施例３も実施例２の場合と同様な方法で評価した。その結果を表３に示す。
【００５０】
【表３】
2014136052.tif 000005
【００５１】
表３の結果より、歯ブラシＣの使用が最も油性塗料５の残余量が少なく、歯ブラシＣの一部を切除した歯ブラシＥが２番目に残余量が少ないことが判明した。また、歯ブラシＣから歯ブラシＥの３つのみを比較すると、歯ブラシＣが最も好ましい結果であることが判明した。これにより、歯ブラシＣの形状が、歯ブラシＦや歯ブラシＧの形状より、歯垢除去性能が高いことが推察される。また、歯ブラシＣにおいては、歯垢除去の観点からは、オリジナルの形状が最も好ましく、一部をむやみに切除するとその性能が低下してしまうことが推察される。
【００５２】
上述の実施形態及び実施例１〜３では、模擬歯垢としてマスキング材料５（油性塗料）を歯２の表面に付着させ、この材料５と同種の色に着色された透明材料４を有した眼鏡３を装着する事で、介助磨き時の模擬歯垢の不可視化状態を作りだすことに成功した。
【００５３】
（変形形態の例示）
しかしながら、本発明は、この知見を利用して、以下の幾つかの変形形態にも発展させることができる。なお、以下の各変形形態では、上述の眼鏡３を使用する必要は無い。
【００５４】
（変形形態１）
変形形態１として、眼鏡の透明材料と同色に着色されたマスキング材料に替えて、透明色又は半透明色を有した蛍光塗料や燐光塗料を模擬歯垢として模型内の歯に塗布した上で、歯磨きを行う。歯磨き後、紫外線、可視光線、又はエックス線を歯に向けて照射して、その歯の表面を発光させ、その発光状況を確認することで模擬歯垢の残存状況を把握することが挙げられる。
【００５５】
この形態１では、上述のとおり、上述の眼鏡は不要であるが、紫外線等を照射させる等の装置が必要となる。また、蛍光塗料や燐光塗料が歯磨きによって歯の表面から脱落することも必要となる。その他、燐光塗料の場合は、発光状況の確認や残存面積の撮影等を行うために十分に長い発光時間を有する塗料を選択することが好ましい。
【００５６】
（変形形態２）
変形形態２として、眼鏡の透明材料と同色に着色されたマスキング材料に替えて、澱粉を模擬歯垢として模型内の歯に塗布した上で、歯磨きを行う。歯磨き後、模型ごと（或いは特定の歯のみ）をヨウ素溶液に浸漬させて、歯の表面に残った澱粉とヨウ素溶液とを反応させ、青紫色や赤褐色に呈した澱粉の残存状況を確認することで模擬歯垢の残存状況を把握することが挙げられる。
【００５７】
この形態２では、上述のとおり、上述の眼鏡３は不要であるが、ヨウ素溶液の入った容器等を用意することが必要となる。
【００５８】
上述の実施形態と変形形態とを比較すると、実施形態のマスキング材料と眼鏡を利用する方法が、歯磨き後の確認が即座かつ極めて手軽に行える点でも最も好ましいと言える。
【産業上の利用可能性】
【００５９】
歯科の二大疾患は虫歯と歯周病であり、ともに感染症である。これらの疾患の予防として歯磨きは日本人が自らの健康増進のために行う行為の中で最も普及している。しかしながら、上述のとおり、歯科臨床においてエビデンス（客観的な証拠）を示しながら指導・練習が行われているとは言い難い。
【００６０】
本発明によれば、残存した模擬歯垢の箇所や分量を目視で確認したり、当該箇所を撮影し、その画像の処理や分析を行ったりすることで、介助磨きの定性的又は定量的な評価が可能となる。また、歯ブラシを製造する会社等においては、歯垢除去能力の評価など、歯ブラシの開発に利用することが可能になる。
【００６１】
さらに、本発明によれば、模擬歯垢と同種の色で着色された透明材料を有した特殊な眼鏡を利用するため、その眼鏡を着用する間に模型上の歯を刷掃すれば、一時的に模擬歯垢を不可視化する（可視化不能にする）ことができる。従って、装着者が恣意的に模擬歯垢を刷掃する機会を無くし、普段通りの介助磨き（歯垢除去）が再現される練習環境を作りだすことができる。
【００６２】
そして、反復刷掃（歯磨き）を終えた後、本発明の眼鏡を外すだけで、模擬歯垢をどの箇所でどの程度落とすことができたか、即座に観察・確認することができる。特別な可視化装置を必要とせず、歯科医院や介護施設等で介助磨きの指導や評価を容易に実施できるようになる。
【００６３】
以上のように、本発明の産業上の利用価値及び利用可能性は非常に高い。
【符号の説明】
【００６４】
１    顎模型
２    歯
３    眼鏡
４    透明材料
５    マスキング材料（油性塗料、模擬歯垢）
６    歯ブラシ
７    顔模型
４４，４５，４６，４７    被験歯
Ａ，Ｂ，Ｃ，Ｄ，Ｅ，Ｆ，Ｇ    歯ブラシ
【図１】
2014136052.tif 000006
【図２】
2014136052.tif 000007
【図３】
2014136052.tif 000008
【図４】
2014136052.tif 000009
【図５】
2014136052.tif 000010